(57)【特許請求の範囲】
【請求項１】
車両のライセンスプレートの上方に、車両が後進する際に車両後方を見るためのバックカメラと、前記ライセンスプレートを照らすためのライセンスランプとが設けられているバックカメラ付き車両であって、
前記ライセンスプレートの上方で、前記バックカメラとライセンスランプとを後上方から覆う装飾部材を備えており、
前記装飾部材は、前記車両後方から見える装飾用板部と、前記装飾用板部に対して水平前方に折り返された下端板部とにより前記ライセンスプレートに対する庇状に形成されており、
前記装飾部材の下端板部には、前記バックカメラのレンズが突出するカメラ用開口と、前記ライセンスランプの光が通されるランプ用開口とが形成されており、
前記ランプ用開口の周縁で、前記カメラ用開口とランプ用開口間に位置する前記下端板部の一部は、車両前後方向に配置された厚肉部と薄肉部とを備えており、
前記厚肉部の部分が前記バックカメラのレンズに対して前記ライセンスランプの光が照射されないように、前記光を遮る壁部となるバックカメラ付き車両。
【請求項２】
請求項１に記載されたバックカメラ付き車両であって、
前記厚肉部の肉厚寸法は、前記下端板部の肉厚寸法と等しい値に設定されており、
前記薄肉部の肉厚寸法は、前記下端板部の肉厚寸法よりも小さな値に設定されており、
前記バックカメラのレンズが前記薄肉部よりも後方に配置されているバックカメラ付き車両。
【請求項３】
請求項１又は請求項２のいずれかに記載されたバックカメラ付き車両であって、
前記装飾部材の下端板部には、前記カメラ用開口を車幅方向から挟む位置に一対のランプ用開口が形成されているバックカメラ付き車両。
【請求項４】
請求項１から請求項３のいずれかに記載されたバックカメラ付き車両であって、
前記バックカメラとライセンスランプと装飾部材とは、車両のトランクを開閉するラッゲージパネルに装着されているバックカメラ付き車両。
【発明の詳細な説明】
【技術分野】
【０００１】
本発明は、車両のライセンスプレートの上方に、車両が後進する際に車両後方を見るためのバックカメラと、前記ライセンスプレートを照らすためのライセンスランプとが設けられているバックカメラ付き車両に関する。
【背景技術】
【０００２】
これに関連するバックカメラ付き車両に関する技術が特許文献１に記載されている。前記バックカメラ付き車両では、バックドアの所定位置に庇状の装飾部材であるフードが設けられており、そのフードの下方にライセンスプレートが取付けられている。さらに、前記フードの下側でライセンスプレートの上方には、図８の平面図に示すように、バックカメラ１０１と左右一対のライセンスランプ１０２とが取付けられている。バックカメラ１０１は、ハウジング１０４に収納された状態でバックドア１０７のドアハンドル１０７ｈの右横に取付けられている。ハウジング１０４の先端部（後端部）には、バックカメラ１０１のレンズ部１０１ｒを覆うレンズカバー１０４ｃが設けられている。そして、レンズカバー１０４ｃの周囲には、バックカメラ１０１のレンズ部１０１ｒに左右のライセンスランプ１０２の光が照射されないようにするための遮光テープ（図示省略）が接着されている。これにより、ライセンスランプ１０２の光でモニターの画面が白くぼけるようなハレーションを防止できる。
【先行技術文献】
【特許文献】
【０００３】
【特許文献１】特開２００４−２１６９５８号公報
【発明の概要】
【発明が解決しようとする課題】
【０００４】
上記したバックカメラ付き車両では、バックカメラ１０１を専用のハウジング１０４に収納している。さらに、ハウジング１０４には、バックカメラ１０１のレンズ部１０１ｒを覆うレンズカバー１０４ｃが設けられており、そのレンズカバー１０４ｃの周囲にライセンスランプ１０２の光を遮る遮光テープが接着されている。このように、バックカメラ１０１のレンズ部１０１ｒに対してライセンスランプ１０２の光が照射されないようにするための対策、即ち、バックカメラ１０１のライセンスランプ対策が大掛かりになり、コストアップとなる。
【０００５】
本発明は、上記問題点を解決するためになされたものであり、本発明が解決しようとする課題は、バックカメラのライセンスランプ対策を低コストで行なえるようにすることである。
【課題を解決するための手段】
【０００６】
上記した課題は、各請求項の発明によって解決される。請求項１の発明は、車両のライセンスプレートの上方に、車両が後進する際に車両後方を見るためのバックカメラと、前記ライセンスプレートを照らすためのライセンスランプとが設けられているバックカメラ付き車両であって、前記ライセンスプレートの上方で、前記バックカメラとライセンスランプとを後上方から覆う装飾部材を備えており、前記装飾部材は、前記車両後方から見える装飾用板部と、前記装飾用板部に対して水平前方に折り返された下端板部とにより前記ライセンスプレートに対する庇状に形成されており、前記装飾部材の下端板部には、前記バックカメラのレンズが突出するカメラ用開口と、前記ライセンスランプの光が通されるランプ用開口とが形成されており、前記ランプ用開口の周縁で、前記カメラ用開口とランプ用開口間に位置する前記下端板部の一部は、車両前後方向に配置された厚肉部と薄肉部とを備えており、前記厚肉部の部分が前記バックカメラのレンズに対して前記ライセンスランプの光が照射されないように、前記光を遮る壁部となる。
【０００７】
本発明によると、装飾部材の壁部の働きでライセンスランプの光がバックカメラのレンズに照射されないようになり、バックカメラの性能低下を防止できる。また、装飾部材に壁部を設けるだけで、特に、バックカメラをケース等で覆う必要がないため、バックカメラのライセンスランプ対策を低コストで行なえるようになる。
また、装飾部材の下端板部の一部がライセンスランプの光を遮る壁部として働くため、コストアップにならない。
【００１０】
請求項２の発明によると、厚肉部の肉厚寸法は、前記下端板部の肉厚寸法と等しい値に設定されており、薄肉部の肉厚寸法は、前記下端板部の肉厚寸法よりも小さな値に設定されており、バックカメラのレンズが前記薄肉部よりも後方に配置されている。即ち、ランプ用開口の周縁に厚肉部を設けても、装飾部材の見栄えが低下することがない。
【００１１】
請求項３の発明によると、装飾部材の下端板部には、カメラ用開口を車幅方向から挟む位置に一対のランプ用開口が形成されている。
【００１２】
請求項４の発明によると、バックカメラとライセンスランプと装飾部材とは、車両のトランクを開閉するラッゲージパネルに装着されている。
【発明の効果】
【００１３】
本発明によると、バックカメラのライセンスランプ対策を低コストで行なえる。
【図面の簡単な説明】
【００１４】
【図１】本発明の実施形態１に係るバックカメラ付き車両を後方から見た斜視図である。
【図２】前記車両のライセンスプレートと庇状の装飾部材とを表す背面図である。
【図３】前記ライセンスプレートと装飾部材に後上方から覆われたバックカメラとの関係を表す縦断面図（図２のIII-III矢視縦断面図）である。
【図４】前記ライセンスプレートと装飾部材に後上方から覆われたライセンスランプとの関係を表す縦断面図（図２のIV-IV矢視縦断面図）である。
【図５】前記装飾部材を下方から見た模式図（図２のV-V矢視図）である。
【図６】図５のVI矢視拡大図である。
【図７】図６のVII-VII矢視縦断面図である。
【図８】従来のバックカメラ付き車両のバックカメラ、及びライセンスランプを表す平断面図である。
【発明を実施するための形態】
【００１５】
［実施形態１］
以下、図１から図７に基づいて本発明におけるバックカメラ付き車両について説明する。本実施形態に係るバックカメラ付き車両１０は、図１に示すように、セダンタイプの乗用車である。ここで、図中に示す前後左右及び上下はセダンタイプの乗用車１０（以下、車両１０という）の前後左右及び上下に対応している。
【００１６】
＜車両１０の概要について＞
車両１０には、エンジンルーム（図示省略）の後方に車室１２が設けられており、車室１２の後方に、図１に示すように、トランクルーム１３が設けられている。そして、前記トランクルーム１３がトランク蓋であるラッゲージパネル１５によって開閉可能に構成されている。ラッゲージパネル１５は車両１０の意匠を構成するパネルであり、トランクルーム１３を閉じた状態で車両ボディのアウタパネル１０ｐ、及びリヤバンパー１０ｂ等と連続するように構成されている。
【００１７】
ラッゲージパネル１５の背面には、図１に示すように、左右両側位置にラッゲージ側バックランプ１５ｒが取付けられている。そして、左右のラッゲージ側バックランプ１５ｒが車両ボディに設けられたボディ側バックランプ１１と意匠的に連続するように構成されている。また、ラッゲージパネル１５の背面には、左右のラッゲージ側バックランプ１５ｒつなぐように細長い庇状の装飾部材２０が取付けられている。さらに、ラッゲージパネル１５の背面には、前記装飾部材２０の取付け位置、及びその下側に浅い窪み部１５ｋが形成されている。そして、ラッゲージパネル１５の窪み部１５ｋの中央にライセンスプレート１７が取付けられている。また、ラッゲージパネル１５の窪み部１５ｋの上部（下向き傾斜面１５０）には、図１、図２等に示すように、装飾部材２０によって覆われる位置にバックカメラ３０と一対のライセンスランプ４０とが取付けられている。
【００１８】
＜バックカメラ３０について＞
バックカメラ３０は、車両１０が後進する際に車両後方を見るためのカメラであり、運転席のモニタとセットで使用される。バックカメラ３０は、図３（図２のIII-III矢視縦断面図）に示すように、先端中央にレンズ３２を備える略角筒形のカメラ本体３４と、そのカメラ本体３４の基端部をラッゲージパネル１５に取付けるためのフランジ状の取付け治具３７とから構成されている。ここで、ラッゲージパネル１５の窪み部１５ｋの上部には、図３に示すように、下向き傾斜面１５０が形成されており、この下向き傾斜面１５０の車幅方向中央位置にカメラ取付け用貫通穴１５１が形成されている。
【００１９】
バックカメラ３０の取付け治具３７は、ラッゲージパネル１５のカメラ取付け用貫通穴１５１に対して裏側から挿通されて、そのカメラ取付け用貫通穴１５１の裏側周縁に固定されている。そして、バックカメラ３０のカメラ本体３４が取付け治具３７に対してラッゲージパネル１５の表側から接続される。これにより、バックカメラ３０（カメラ本体３４）は、車両１０の後斜め下方の定位置を指向するように、ラッゲージパネル１５に取付けられる。
【００２０】
＜ライセンスランプ４０について＞
ライセンスランプ４０は、車両１０のライセンスプレート１７を照らすためのランプであり、左右のライセンスランプ４０が一組で使用される。ライセンスランプ４０は、平面形状が略角形のランプであり、図４（図２のIV-IV矢視縦断面図）に示すように、ラッゲージパネル１５の下向き傾斜面１５０に形成されたランプ取付け用貫通穴１５３に斜め下向きの状態で取付けられている。ここで、ランプ取付け用貫通穴１５３は、カメラ取付け用貫通穴１５１を車幅方向両側から挟む所定位置に形成されている。
【００２１】
ライセンスランプ４０は、図４に示すように、ＬＥＤ等の光源、及び反射板等（図示省略）を収納する角箱状のランプハウジング４３と、そのランプハウジング４３の開口４３ｈを塞ぐランプレンズ４６とから構成されている。ランプハウジング４３は、開口４３ｈの周縁にフランジ部４３ｆを備えており、そのフランジ部４３ｆに対して前記ランプレンズ４６の端縁が合わせられるようになっている。また、ランプハウジング４３は、ラッゲージパネル１５のランプ取付け用貫通穴１５３に外側から挿入されて、フランジ部４３ｆがランプ取付け用貫通穴１５３の周縁に外側から固定されることでラッゲージパネル１５に斜め下向きの状態で取付けられる。
【００２２】
ランプハウジング４３の開口４３ｈの上辺位置には、その開口４３ｈからハウジング壁の延長線上に張り出してランプレンズ４６の上部を下側から覆う張出し壁部４３ｔが設けられている。このため、ランプハウジング４３がラッゲージパネル１５に斜め下向きに取付けられた状態で、ランプハウジング４３は下向きに開放している。したがって、ライセンスランプ４０は下方のライセンスプレート１７を照らせるようになる。
【００２３】
＜装飾部材２０について＞
装飾部材２０は、図１、図２に示すように、左右のラッゲージ側バックランプ１５ｒ間でラッゲージパネル１５の背面を装飾する部材であり、バックカメラ３０と左右のライセンスランプ４０とを後上方から覆った状態で、ラッゲージパネル１５に取付けられる。装飾部材２０は、ライセンスプレート１７に対する庇状に形成されており、図４等に示すように、車両後方から見える装飾用板部２２と、その装飾用板部２２に対して水平前方に折り返された下端板部２４から断面略横Ｖ字形に形成されている。装飾部材２０の下端板部２４には、図５、図６に示すように、バックカメラ３０に対応する位置に、そのバックカメラ３０（カメラ本体３４）のレンズ３２を突出させるためのカメラ用切欠開口２４１が形成されている。また、装飾部材２０の下端板部２４には、左右のライセンスランプ４０に対応する位置にランプ用角形開口２４３が形成されている。即ち、カメラ用切欠開口２４１が本発明のカメラ用開口に相当し、ランプ用角形開口２４３が本発明のランプ用開口に相当する。
【００２４】
左右のライセンスランプ４０は、ラッゲージパネル１５の見栄えを考慮して、図７に示すように、装飾部材２０（下端板部２４）のランプ用角形開口２４３に対して若干内側（上側）に入り込んだ位置に設けられている。このため、装飾部材２０の下端板部２４の下面には、ライセンスランプ４０の左右方向の照射角度を確保するため、図６に示すように、ランプ用角形開口２４３の左側と右側とに凹部２４ｘ，２４ｙが形成されている。即ち、凹部２４ｘ，２４ｙは、ランプ用角形開口２４３の位置で最も深く、そのランプ用角形開口２４３から左方向、及び右方向に離れるにつれて徐々に浅くなるように、断面略楔形に形成されている。
【００２５】
下端板部２４の下面に形成された凹部２４ｘは、図６に示すように、ランプ用角形開口２４３とほぼ等しい幅寸法の幅広凹部２４ｘであり、右のランプ用角形開口２４３の右側と、左のランプ用角形開口２４３の左側とに形成されている。即ち、幅広凹部２４ｘは、バックカメラ３０と反対側に形成されている。下端板部２４の下面の凹部２４ｙは、ランプ用角形開口２４３の約１／２の幅寸法の幅狭凹部２４ｙであり、右のランプ用角形開口２４３の左側前部と、左のランプ用角形開口２４３の右側前部とに形成されている。即ち、幅狭凹部２４ｙは、バックカメラ３０側に形成されている。ここで、幅狭凹部２４ｙの位置は、バックカメラ３０（カメラ本体３４）のレンズ３２に対して前側になるように位置決めされている。
【００２６】
そして、幅狭凹部２４ｙの後側には、下端板部２４の他の部分と等しい肉厚寸法の厚肉部２４ｚが設けられている。ここで、厚肉部２４ｚの位置は、図６に示すように、バックカメラ３０（カメラ本体３４）のレンズ３２と車両前後方向において同位置となるように位置決めされている。これにより、ライセンスランプ４０とバックカメラ３０（カメラ本体３４）のレンズ３２間に厚肉部２４ｚが配置されるようになる。この結果、ライセンスランプ４０の光が厚肉部２４ｚに遮られてバックカメラ３０のレンズ３２に直接的に照射されないようになる。即ち、厚肉部２４ｚが本発明の壁部に相当し、前記下端板部２４の幅狭凹部２４ｙの部分が本発明の薄肉部に相当する。
【００２７】
＜装飾部材２０の働きについて＞
左右のライセンスランプ４０が点灯すると、ライセンスランプ４０の光は、図７に示すように、装飾部材２０の下端板部２４のランプ用角形開口２４３を通過し、さらに幅広凹部２４ｘ、幅狭凹部２４ｙに沿って下方に所定の照射角度で照射される。これにより、ライセンスプレート１７が左右のライセンスランプ４０によって照らされるようになる。
【００２８】
ここで、右のランプ用角形開口２４３の左側後部と、左のランプ用角形開口２４３の右側後部とに設けられた厚肉部２４ｚはバックカメラ３０（カメラ本体３４）のレンズ３２とライセンスランプ４０間に配置されている。このため、ライセンスランプ４０の光は、図７に示すように、左右の厚肉部２４ｚにより遮られ、バックカメラ３０（カメラ本体３４）のレンズ３２には照射されなくなる。これにより、ライセンスランプ４０の光によりモニターの画面が白くぼけるようなハレーションを防止できる。ここで、右のランプ用角形開口２４３の左側前部と、左のランプ用角形開口２４３の右側前部とに形成された幅狭凹部２４ｙはバックカメラ３０（カメラ本体３４）のレンズ３２に対して前側に位置決めされている。このため、幅狭凹部２４ｙに沿うライセンスランプ４０の光がバックカメラ３０のレンズ３２に照射されることはない。
【００２９】
＜本実施形態に係るバックカメラ付き車両１０の長所について＞
本実施形態に係るバックカメラ付き車両１０によると、装飾部材２０（下端板部２４）の厚肉部２４ｚ（壁部）の働きでライセンスランプ４０の光がバックカメラ３０のレンズ３２に照射されないようになり、バックカメラ３０の性能低下を防止できる。また、装飾部材２０に厚肉部２４ｚ（壁部）を設けるだけで、特に、バックカメラ３０をケース等で覆う必要がないため、バックカメラ３０のライセンスランプ対策を低コストで行なえるようになる。また、装飾部材２０の下端板部２４の一部がライセンスランプ４０の光を遮る壁部として働くため、コストアップにならない。また、厚肉部２４ｚの肉厚寸法は、下端板部２４の肉厚寸法と等しい値に設定されているため、ランプ用角形開口２４３の周縁に厚肉部２４ｚを設けても、装飾部材２０の見栄えが低下しない。
【００３０】
＜変更例＞
ここで、本発明は上記実施形態に限定されるものではなく、本発明の要旨を逸脱しない範囲における変更が可能である。例えば、本実施形態では、幅狭凹部２４ｙよりも厚肉で装飾部材２０の下端板部２４と等しい肉厚寸法の厚肉部２４ｚを設ける例を示した。しかし、装飾部材２０の下端板部２４に突起等を形成して厚肉部２４ｚとすることも可能である。また、本実施形態では、車両１０のラッゲージパネル１５にバックカメラ３０、ライセンスランプ４０を取付けて装飾部材２０により後方から覆う例を示した。しかし、バックカメラ３０、及びライセンスランプ４０を装飾部材２０に取付けた状態で、その装飾部材２０をラッゲージパネル１５に取付けることも可能である。また、本実施形態では、車両１０のラッゲージパネル１５にバックカメラ３０、ライセンスランプ４０、及び装飾部材２０等を設ける例を示した。しかし、例えば、車両のバックドア等にバックカメラ３０、ライセンスランプ４０、及び装飾部材２０等を設けることも可能である。
【符号の説明】
【００３１】
１０・・・・車両（バックカメラ付き車両）
１３・・・・トランクルーム
１５・・・・ラッゲージパネル
１７・・・・ライセンスプレート
２０・・・・装飾部材
２２・・・・装飾用板部
２４・・・・下端板部
２４ｚ・・・厚肉部（壁部）
２４ｙ・・・幅狭凹部（薄肉部）
２４１・・・カメラ用切欠開口（カメラ用開口）
２４３・・・ランプ用角形開口（ランプ用開口）
３０・・・・バックカメラ
３２・・・・レンズ
４０・・・・ライセンスランプ
【図１】
0006524395.tif 000002
【図２】
0006524395.tif 000003
【図３】
0006524395.tif 000004
【図４】
0006524395.tif 000005
【図５】
0006524395.tif 000006
【図６】
0006524395.tif 000007
【図７】
0006524395.tif 000008
【図８】
0006524395.tif 000009